(57)【要約】【課題】  光学装置におけるネジを用いた部品の固定のときに固定される部品の変形を減少し、部品の組み立て後の必要精度を確保するカメラ、モバイル画像入力装置等の光学装置および画像投影装置を提供する。【解決手段】  レンズ光学系を保持したレンズ枠４、５を内周側で摺接し、レンズ枠４、５を光軸方向に移動可能に保持する保持筒６と、保持筒６を、固定手段１０を介して固定する固定枠２を有する光学装置において、固定枠２には光軸方向に明けられた貫通穴１１ａ〜１１ｃを有し、保持筒６には貫通穴１１ａ〜１１ｃに対応した位置に固定手段１０と係合する下穴１３ａ〜１３ｃを有し、貫通穴１１ａ〜１１ｃと下穴１３ａ〜１３ｃを略中心とする固定枠２と保持筒６の回転方向の位置ずれを規制するために互いに係合する凹部１２ａ〜１２ｆと凸部１４ａ〜１４ｆが保持筒６と固定枠２の貫通穴１１ａ〜１１ｃと下穴１３ａ〜１３ｃの近傍に設けられる。【選択図】  図１
2005241879.tif 000002
【特許請求の範囲】
【請求項１】
レンズ光学系を保持したレンズ枠を内周側で光軸方向に移動可能に保持する保持筒と、前記保持筒を固定手段によって固定する固定枠と、を有する光学装置において、前記固定枠には光軸方向に延びる貫通穴を有し、前記保持筒には前記貫通穴に対応した位置に前記固定手段と係合する下穴を有し、前記貫通穴と前記下穴を略中心とする前記固定枠と前記保持筒の回転方向の位置ずれを規制するために互いに係合する凹部と凸部が前記保持筒と前記固定枠の前記貫通穴と前記下穴の近傍に設けられることを特徴とする光学装置。
【請求項２】
前記固定手段がネジであり、前記貫通穴がネジ貫通用の穴でかつ前記下穴が前記ネジ用の下穴であることを特徴とする請求項１記載の光学装置。
【請求項３】
前記凸部が前記保持筒に設けられていることを特徴とする請求項１記載の光学装置。
【請求項４】
前記凸部が前記保持筒に設けられ、該凸部の外周面の一部が前記保持筒本体の内周面または外周面と略同一面上に延長形成されていることを特徴とする請求項３記載の光学装置。
【請求項５】
前記凸部と前記凹部が前記ネジ貫通穴と前記下穴を略中心とする前記固定枠と前記保持筒の回転方向の前記ネジのネジ締め方向の回転のみを規制していることを特徴とする請求項２記載の光学装置。
【請求項６】
前記凸部と前記凹部が前記保持筒の周方向で前記下穴を中心に対称な位置に２箇所設けられていることを特徴とする請求項１記載の光学装置。
【請求項７】
複数の前記ネジ貫通穴と前記下穴を有しそれらの略中間の位置に、前記ネジ貫通穴と前記下穴を略中心とする前記固定枠と前記保持筒の回転方向のずれを規制するために互いに係合する第２の凹部と第２の凸部が前記保持筒と前記固定枠に設けられていることを特徴とする請求項２記載の光学装置。
【請求項８】
請求項１乃至７に記載の光学装置を有することを特徴とするモバイル画像入力装置。
【請求項９】
請求項１乃至６に記載の光学装置を有することを特徴とする画像投影装置。
【発明の詳細な説明】
【技術分野】
【０００１】
本発明は、レンズ鏡胴を有するカメラ、モバイル画像入力装置等の光学装置および画像投影装置に関するものである。
【背景技術】
【０００２】
近年、デジタルカメラなどのモバイル機器の小型化に伴い、それらに搭載されるレンズ鏡胴などの光学装置の小型化が要求されている。
【発明の開示】
【発明が解決しようとする課題】
【０００３】
しかしながら、光学装置の小型化に伴い光学装置を構成する各部品の占める体積も減少し支持部材や保持部材の肉厚その他も減少して強度、剛性が低下するため、ネジを用いた固定のときに、ネジ締結にともなう応力によって固定される部品に変形が発生し易く、部品の組み立て後の必要精度を確保することが困難になる不具合が起きている。
本発明の目的は、光学装置におけるネジを用いた部品の締結固定のときに固定される部品の変形を減少し、部品の組み立て後の必要精度を確保するカメラ、モバイル画像入力装置等の光学装置および画像投影装置を提供することにある。
【課題を解決するための手段】
【０００４】
上記の課題を解決するために、請求項１に記載の発明は、レンズ光学系を保持したレンズ枠を内周側で摺接し、前記レンズ枠を光軸方向に移動可能に保持する保持筒と、前記保持筒を、固定手段を介して固定する固定枠を有する光学装置において、前記固定枠には光軸方向に明けられた貫通穴を有し、前記保持筒には前記貫通穴に対応した位置に前記固定手段と係合する下穴を有し、前記貫通穴と前記下穴を略中心とする前記固定枠と前記保持筒の回転方向の位置ずれを規制するために互いに係合する凹部と凸部が前記保持筒と前記固定枠の前記貫通穴と前記下穴の近傍に設けられる光学装置を特徴とする。光学装置とは、ズームレンズ鏡胴を含む概念である。
また、請求項２に記載の発明は、前記固定手段がネジであり、前記貫通穴がネジ貫通用の穴でかつ前記下穴が前記ネジ用の下穴である請求項１記載の光学装置を特徴とする。
また、請求項３に記載の発明は、前記凸部が前記保持筒に設けられる請求項１記載の光学装置を特徴とする。
また、請求項４に記載の発明は、前記凸部が前記保持筒に設けられその外周面の一部が前記保持筒の内周面または外周面と略同一の面である請求項３記載の光学装置を特徴とする。
また、請求項５に記載の発明は、前記凸部と前記凹部が前記ネジ貫通穴と前記下穴を略中心とする前記固定枠と前記保持筒の回転方向の前記ネジのネジ締め方向の回転のみを規制している請求項２記載の光学装置を特徴とする。
また、請求項６に記載の発明は、前記凸部と前記凹部が前記保持筒の周方向で前記下穴を中心に対称な位置に２箇所設けられている請求項１記載の光学装置を特徴とする。
また、請求項７に記載の発明は、複数の前記ネジ貫通穴と前記下穴を有しそれらの略中間の位置に、前記ネジ貫通穴と前記下穴を略中心とする前記固定枠と前記保持筒の回転方向のずれを規制するために互いに係合する第２の凹部と第２の凸部が前記保持筒と前記固定枠設けられている請求項２記載の光学装置を特徴とする。
また、請求項８に記載の発明は、請求項１乃至７に記載の光学装置を有するモバイル画像入力装置を特徴とする。
また、請求項９に記載の発明は、請求項１乃至６に記載の光学装置を有する画像投影装置を特徴とする。
【発明の効果】
【０００５】
本発明によれば、保持筒を、固定手段を介して固定する固定枠を有し、この固定枠に光軸方向に明けられた貫通穴を設け、前記保持筒には前記貫通穴に対応した位置に固定手段と係合する下穴を設け、前記貫通穴と前記下穴を略中心とする前記固定枠と前記保持筒の回転方向のずれを規制するために、互いに係合する凹部と凸部が前記保持筒と前記固定枠の前記貫通穴と前記下穴の近傍に設けられ、これによって部品の組み立て後の必要精度を確保することができる。
【発明を実施するための最良の形態】
【０００６】
以下、図面を参照して、本発明の実施形態を詳細に説明する。図１はデジタルカメラのズーム鏡胴の正面縦断面図である。第１群のレンズＬ１を保持する１Ｇセル３は第１群の枠４に固定支持されている。
１Ｇカムフォロア２０は保持筒６のライナ部を径方向に貫通し、その外側に位置する回転カム部材の回転筒２１に設けられたカム面１に係合する。１Ｇカムフォロア２０は、また、保持筒６に対する回転筒２１の回転によって光軸方向に移動できるように保持されている。
第２群のレンズＬ２を保持する２Ｇ枠５は、２Ｇカムフォロア２２が保持筒６のライナ部を貫通し、回転カム部材の回転筒２１に設けられたカム面１に係合する。２Ｇ枠５は、保持筒６に対する回転筒２１の回転によって光軸方向に移動可能に保持されている。２Ｇ枠５はフォーカスモータ９の軸上に設けられたリードスクリュ２３の回転により光軸方向に移動する。
図２は２Ｇ枠と固定枠との接合部近傍を示す図１の部分概略拡大図である。図３は固定枠の構成を説明する側面図である。図４は保持筒を説明する第１の実施の形態を示す概略斜視図である。
図２乃至図４において、固定枠２にはネジ貫通穴１１ａ〜１１ｃがその周部で等間隔に設けられている。保持筒６は固定枠２のネジ貫通穴１１ａ〜１１ｃに対応して光軸方向に明けられたネジ下穴（図４の１３ａ〜１３ｃ）によって固定枠２にネジ１０（図２）でネジ止め固定されている。
ネジ下穴１３ａ〜１３ｃの近傍にはボス部（図４の１４ａ〜１４ｆ）が設けられ、それらは固定枠２に設けられた穴部（図３の１２ａ〜１２ｆ）に嵌合して、ネジ１０でネジ止めするときの保持筒６のネジ締め回転方向の変形を規制している。
図２乃至図４に関連して、固定をネジで行なっている実施の形態で説明したが、ここでは固定手段と位置ずれ防止手段が発明の要点であるので、固定はネジ止めに限定されず、接着剤による接着固定もその範疇に属する。
また固定枠２はローパスフィルタ７、ＣＣＤ８とその他に不図示のズーム駆動初段、ファインダなどを保持し鏡胴機構部品が取り付けられる基盤としての機能を果たしている。
【０００７】
図５は保持筒の第２の実施の形態を説明する概略斜視図である。図５において、保持筒６は固定枠２のネジ貫通穴１１ａ〜１１ｃと対応するネジ下穴１３ａ〜１３ｃを有している。
それらの略中間の位置に、ネジ貫通穴１１ａ〜１１ｃとネジ下穴１３ａ〜１３ｃを略中心とする固定枠２と保持筒６の回転方向のずれを規制するために互いに係合する第２の凹部と第２の凸部が設けられる。
すなわち、保持筒６には第２の凸部１５ａ乃至１５ｃが設けられ、固定枠２には第２の凸部１５ａ乃至１５ｃに対応する位置に第２の凹部１６ａ乃至１６ｃが設けられる。これによって部品の組み立て後の必要精度を確保することができる。
【０００８】
図６は保持筒の第３の実施の形態を説明する概略斜視図である。図６において、保持筒６はその端面に光軸方向へ延びる凸部１４ａ乃至１４ｆを備え、各凸部の外周面の一部が、保持筒６本体の内周面または外周面と略同一の面である。図示の例では、各凸部の外周面が保持筒保体の外周面の延長上にあるが、各凸部の外周面が保持筒本体の内周面の延長上になるように段差状に凸部を保持筒本体に取り付けても良い。固定枠２側には、各凸部を受け入れる凹所を設ける。これによって部品の組み立て後の必要精度を確保することができる。
上述したように、固定枠２には光軸方向に空けられたネジ貫通穴１１ａ乃至１１ｃを有し、保持筒６にはネジ貫通穴１１ａ乃至１１ｃに対応した位置にネジ１０と係合する下穴１３ａ乃至１３ｃを有している。
ネジ貫通穴１１ａ乃至１１ｃと下穴１３ａ乃至１３ｃを略中心とする固定枠２と保持筒６の回転方向のずれを規制するために、固定枠２のネジ貫通穴１１ａ乃至１１ｃと、保持筒６の下穴１３ａ乃至１３ｃの近傍に、互いに係合する凹部１２ａ乃至１２ｆと、凸部１４ａ乃至１４ｆが設けられる。
凹部１２ａ乃至１２ｆと、凸部１４ａ乃至１４ｆが互いに係合することによって前記固定枠２と前記保持筒６の回転方向のずれを規制するために、部品の組み立て後の必要精度を確保することができる。
【図面の簡単な説明】
【０００９】
【図１】デジタルカメラのズーム鏡胴の断面図である。
【図２】２Ｇ枠と固定枠との接合部近傍を示す図１の部分概略拡大図である。
【図３】固定枠の底面を説明する底面図である。
【図４】保持筒の第１の実施の形態を説明する概略斜視図である。
【図５】保持筒の第２の実施の形態を説明する概略斜視図である。
【図６】保持筒の第３の実施の形態を説明する概略斜視図である。
【符号の説明】
【００１０】
２  固定枠
４  レンズ枠（第１群の枠）
５  レンズ枠（第２群の枠）
６  保持筒
１０  固定手段（ネジ）
１１ａ〜１１ｃ  貫通穴（ネジ貫通穴）
１２ａ〜１２ｆ  凹部（穴部）
１３ａ〜１３ｃ  下穴（ネジ下穴）
１４ａ〜１４ｆ  凸部（ボス部）
１５ａ〜１５ｃ  第２凸部
１６ａ〜１６ｃ  第２凹部
【図１】
2005241879.tif 000003
【図２】
2005241879.tif 000004
【図３】
2005241879.tif 000005
【図４】
2005241879.tif 000006
【図５】
2005241879.tif 000007
【図６】
2005241879.tif 000008